(57)【要約】【課題】電子機器を小型化すること。【解決手段】カバー部とベース部との間で電子部品を収容する筐体を有し、前記電子部品は、前記カバー部の第１側壁の内側に沿って配置され、前記第１側壁側の側面に切り欠きが設けられており、前記カバー部は、前記切り欠きに対応して前記第１側壁から内側に窪む凹部が設けられており、前記凹部において固定部材により前記ベース部に固定されている電子機器。【選択図】  図４
2017183621.tif 000002
【特許請求の範囲】
【請求項１】
カバー部とベース部との間で電子部品を収容する筐体を有し、
前記電子部品は、前記カバー部の第１側壁の内側に沿って配置され、前記第１側壁側の側面に切り欠きが設けられており、
前記カバー部は、前記切り欠きに対応して前記第１側壁から内側に窪む凹部が設けられており、前記凹部において固定部材により前記ベース部に固定されている
ことを特徴とする電子機器。
【請求項２】
前記電子部品は、前記カバー部の第２側壁に形成されている開口から前記第１側壁に平行な方向に突出するコネクタが設けられており、
前記切り欠きは、前記コネクタの突出方向における長さが、前記凹部の幅に前記コネクタの前記開口からの突出長を加えた長さ以上である
ことを特徴とする請求項１に記載の電子機器。
【発明の詳細な説明】
【技術分野】
【０００１】
本発明は、電子機器に関する。
【背景技術】
【０００２】
例えば筐体本体の複数の面を開閉する扉と、筐体本体の内部に開けられた扉を収容する扉格納部とを設けることで、無線通信に用いられる基地局を小型化する技術が開示されている（例えば、特許文献１参照）。
【０００３】
また、筐体を構成する第１の筐体と第２の筐体とを、第１の筐体に設けられている爪と、第２の筐体に設けられている保持凹部との係合により固定することで、電子機器を小型化する技術が開示されている（例えば、特許文献２参照）。
【先行技術文献】
【特許文献】
【０００４】
【特許文献１】特開２００８−２４４１８５号公報
【特許文献２】特開２００６−２１６７２４号公報
【発明の概要】
【発明が解決しようとする課題】
【０００５】
上記した基地局等を含む電子機器は、小型化することで従来設置できなかった場所にも設置可能になり、設置場所の選択肢が増えてより広く使用可能になる。このため、電子機器にはさらなる小型化が求められている。
【０００６】
そこで、一つの側面では、電子機器を小型化することを目的とする。
【課題を解決するための手段】
【０００７】
本実施形態の一観点における電子機器によれば、カバー部とベース部との間で電子部品を収容する筐体を有し、前記電子部品は、前記カバー部の第１側壁の内側に沿って配置され、前記第１側壁側の側面に切り欠きが設けられており、前記カバー部は、前記切り欠きに対応して前記第１側壁から内側に窪む凹部が設けられており、前記凹部において固定部材により前記ベース部に固定されている。
【発明の効果】
【０００８】
電子機器を小型化することができる。
【図面の簡単な説明】
【０００９】
【図１】電子機器の斜視図である。
【図２】電子機器の背面図、上面図、及び側面図である。
【図３】電子機器の分解斜視図である。
【図４】電子機器の部分断面図である。
【図５】本実施形態における電子機器の斜視図である。
【図６】本実施形態における電子機器の背面図、上面図、及び側面図である。
【図７】本実施形態における凹部の断面図である。
【図８】本実施形態における電子機器の分解斜視図である。
【図９】本実施形態におけるデュプレクサの斜視図である。
【図１０】本実施形態におけるデュプレクサの背面図、上面図、及び側面図である。
【図１１】デュプレクサのコネクタがカバー部の開口に挿入される様子を例示する図である。
【図１２】本実施形態における電子機器の部分断面図である。
【発明を実施するための形態】
【００１０】
まず、無線通信における基地局として用いられる電子機器５について説明する。
【００１１】
図１は、電子機器５の斜視図である。図２（Ａ）は、電子機器５の背面図である。図２（Ｂ）は、電子機器５の上面図であり、図２（Ｃ）は電子機器５の側面図である。また、図３は、電子機器５の分解斜視図である。以下の図面に示されるｘ１ｘ２方向は、電子機器５の幅方向である。また、ｙ１ｙ２方向は電子機器５の奥行き方向であり、ｚ１ｚ２方向は電子機器５の高さ方向である。
【００１２】
図１に示されるように、電子機器５は、カバー部５００とベース部６００との間で電子部品を収容する筐体５０を有する。
【００１３】
カバー部５００は、ベース部６００側の面が開放された箱型に形成されている。カバー部５００は、天壁５０１、第１側壁５０２ａ、第２側壁５０２ｂ、第３側壁５０２ｃ、第４側壁５０２ｄを有する。第１側壁５０２ａ、第２側壁５０２ｂ、第３側壁５０２ｃ、及び第４側壁５０２ｄは、それぞれ矩形状の天壁５０１の各辺に設けられ、天壁５０１に対して垂直に形成されている。
【００１４】
なお、以下の説明では、ｚ１ｚ２方向において、カバー部５００側を上、ベース部６００側を下という場合がある。また、ｘ１ｘ２方向において、カバー部５００の第１側壁５０２ａ側を左、第３側壁５０２ｃ側を右という場合がある。
【００１５】
カバー部５００の第４側壁５０２ｄには、複数のコネクタ６１が取り付けられている。また、カバー部５００の第２側壁５０２ｂには、複数のコネクタ７１が取り付けられている。コネクタ６１及びコネクタ７１は、それぞれ筐体５０に収容されている電子部品に接続されている。
【００１６】
カバー部５００には、第１側壁５０２ａの下端からｘ１方向に突出する第１フランジ部５２１が形成されている。第１フランジ部５２１は、ベース部６００の周縁部に重ねられ、複数のねじ５１によりベース部６００に固定される。
【００１７】
また、カバー部５００には、第３側壁５０２ｃの下端からｘ２方向に突出する第２フランジ部５４１が形成されている。第２フランジ部５４１は、ベース部６００の周縁部に重ねられ、複数のねじ５１によりベース部６００に固定される。
【００１８】
カバー部５００の第１側壁５０２ａには、強度向上のために複数のリブ５２２が形成されている。また、カバー部５００の第３側壁５０２ｃには、同様に複数のリブ５４２が形成されている。
【００１９】
ベース部６００は、下側に複数の放熱フィン６０１が形成されており、筐体５０に収容される電子部品において生じる熱を放熱する。
【００２０】
カバー部５００とベース部６００との間には、図３に示されるように、デュプレクサ７０、基板８０、電源ユニット９０が収容される。カバー部５００とベース部６００との間の空間は、パッキン９５により密閉される。
【００２１】
デュプレクサ７０は、信号の送受信を１つのアンテナで行うために、信号の送信経路と受信経路とを電気的に分離する電子部品である。デュプレクサ７０は、直方体状の本体部７０１の内部に、送信信号又は受信信号をフィルタリングするフィルタ等が設けられている。デュプレクサ７０の本体部７０１には、図３における背面側にコネクタ７１が設けられている。
【００２２】
デュプレクサ７０は、本体部７０１の左右の側面がそれぞれカバー部５００の第１側壁５０２ａ、第３側壁５０２ｃに沿うように筐体５０の内部に配置される。
【００２３】
基板８０は、下面側に複数の電子部品が実装されており、ベース部６００の上面側に固定される。電源ユニット９０は、ベース部６００の上面側に固定され、基板８０に実装されている電子部品等に電源を供給する。
【００２４】
カバー部５００は、コネクタ７１が第２側壁５０２ｂの開口に挿入されてデュプレクサ７０が取り付けられた状態で、基板８０や電源ユニット９０が搭載されたベース部６００に固定される。
【００２５】
図４は、電子機器５の部分断面図である。図４には、第１フランジ部５２１を含むｘｚ断面が示されている。
【００２６】
図４に示されるように、カバー部５００は、ベース部６００の周縁部に重ねられた第１フランジ部５２１において、ねじ５１によりベース部６００に固定される。ねじ５１は、第１フランジ部５２１の挿入孔５２に挿入され、ベース部６００のねじ孔５３に取り付けられることで、カバー部５００をベース部６００に固定する。
【００２７】
電子機器５では、カバー部５００をベース部６００に固定するために、筐体５０の外側に突出するように第１フランジ部５２１及び第２フランジ部５４１が形成されている。このように形成されている第１フランジ部５２１及び第２フランジ部５４１を無くすことができれば、筐体５０の幅を小さくして電子機器５を小型化することができる。
【００２８】
次に、本実施形態における電子機器１について図面に基づいて説明する。各図面において、同一構成部分には同一符号を付し、重複した説明を省略する場合がある。
【００２９】
図５は、本実施形態における電子機器１の斜視図である。また、図６（Ａ）は、本実施形態における電子機器１の背面図である。図６（Ｂ）は電子機器１の上面図であり、図６（Ｃ）は電子機器１の側面図である。以下に示す図面において、Ｘ１Ｘ２方向は電子機器１の幅方向である。また、Ｙ１Ｙ２方向は電子機器１の奥行き方向であり、Ｚ１Ｚ２方向は電子機器１の高さ方向である。
【００３０】
本実施形態における電子機器１は、無線通信に用いられる基地局であり、屋外に設置される。なお、本発明は基地局に限定されるものではなく、電子部品を筐体内に収容する電子機器であれば適用可能である。
【００３１】
図５に示されるように、電子機器１は、カバー部１００とベース部２００との間で電子部品を収容する筐体１０を有する。
【００３２】
カバー部１００は、例えばポリカーボネート等の樹脂により、ベース部２００側の面が開放された箱型に形成されている。カバー部１００は、天壁１０１、第１側壁１０２ａ、第２側壁１０２ｂ、第３側壁１０２ｃ、第４側壁１０２ｄを有する。第１側壁１０２ａ、第２側壁１０２ｂ、第３側壁１０２ｃ、及び第４側壁１０２ｄは、それぞれ矩形状の天壁１０１の各辺に設けられ、天壁１０１に対して垂直に形成されている。第１側壁１０２ａと第３側壁１０２ｃとは、Ｘ１Ｘ２方向に対向して形成されている。また、第２側壁１０２ｂと第４側壁１０２ｄとは、Ｙ１Ｙ２方向に対向して形成されている。
【００３３】
なお、以下の説明では、Ｚ１Ｚ２方向において、カバー部１００側を上、ベース部２００側を下という場合がある。また、Ｘ１Ｘ２方向において、カバー部１００の第１側壁１０２ａ側を左、第３側壁１０２ｃ側を右という場合がある。
【００３４】
カバー部１００の第４側壁１０２ｄには、複数のコネクタ２１が取り付けられている。また、第２側壁１０２ｂには、複数のコネクタ３１が取り付けられている。コネクタ２１及びコネクタ３１は、それぞれ筐体１０に収容されている電子部品に接続されている。
【００３５】
カバー部１００には、４つの角部に凹部１１０ａ、１１０ｄ、１１０ｉ、１１０ｍが形成されている。また、第１側壁１０２ａに凹部１１０ｂ、１１０ｃ、第２側壁１０２ｂに凹部１１０ｅ、１１０ｆ、１１０ｇ、１１０ｈ、第３側壁１０２ｃに凹部１１０ｊ、１１０ｋ、第４側壁１０２ｄに凹部１１０ｎが形成されている。
【００３６】
以下の説明では、第１側壁１０２ａ、第２側壁１０２ｂ、第３側壁１０２ｃ、及び第４側壁１０２ｄを総称して「側壁１０２」と称する場合がある。また、凹部１１０ａ〜１１０ｎを総称して「凹部１１０」と称する場合がある。
【００３７】
図７は、カバー部１００の第１側壁１０２ａに形成されている凹部１１０ｃの断面図である。図７（Ａ）は、凹部１１０ｃのＸＹ断面図である。また、図７（Ｂ）は、凹部１１０ｃのＸＺ断面図である。
【００３８】
図７（Ａ）及び（Ｂ）に示されるように、凹部１１０ｃは、ベース部２００に固定される底壁１２２、底壁１２２の周囲に形成されている周壁１２３を有する。
【００３９】
底壁１２２は、第１側壁１０２ａからカバー部１００の内部に向かってＸ２方向に突出するように形成されている。底壁１２２には、カバー部１００をベース部２００に固定するねじ１１が挿入される挿入孔１２が形成されている。
【００４０】
周壁１２３は、底壁１２２の周縁から天壁１０１に連結するように、底壁１２２に対して垂直に形成されている。凹部１１０ｃでは、挿入孔１２がＺ１方向に開放されるように形成されることで、底壁１２２の挿入孔１２にねじ１１を挿入し、工具を用いてねじ１１を回してカバー部１００をベース部２００に固定することができる。
【００４１】
なお、第１側壁１０２ａに形成されている凹部１１０ｃを例示して説明したが、カバー部１００に形成されている他の凹部１１０も、凹部１１０ｃと同様に側壁１０２からカバー部１００の内側に窪むように形成されている。カバー部１００は、図５及び図６（Ａ）〜（Ｃ）に示されるように、側壁１０２に形成されている凹部１１０において、ねじ１１によりベース部２００に固定される。
【００４２】
図８は、本実施形態における電子機器１の分解斜視図である。図８に示されるように、電子機器１は、カバー部１００とベース部２００との間に、デュプレクサ３０、基板４０、電源ユニット４５等を収容する。
【００４３】
カバー部１００の第４側壁１０２ｄには、図５及び図６に示されるコネクタ２１が取り付けられる開口１１２が形成されている。また、側壁１０２の凹部１１０には、それぞれねじ１１が挿入される挿入孔１２が形成されている。
【００４４】
ベース部２００は、例えばアルミニウムで形成されており、下側に複数の放熱フィン２０１が形成されたヒートシンクである。ベース部２００は、カバー部１００との間に収容される電子部品において生じる熱を放熱する。
【００４５】
ベース部２００の周縁部には、シール部材としてのパッキン６０が取り付けられるパッキン溝２０３が形成されている。また、ベース部２００のパッキン溝２０３の外周側には、カバー部１００をベース部２００に固定するねじ１１が取り付けられるねじ孔１３が形成されている。
【００４６】
ねじ１１は、カバー部１００の凹部１１０に形成されている挿入孔１２に挿入され、ベース部２００に形成されているねじ孔１３に取り付けられることで、カバー部１００をベース部２００に固定する。なお、カバー部１００とベース部２００とは、ボルト及びナット等により固定されてもよい。
【００４７】
パッキン６０は、例えばゴム等の弾性材料で形成されている。パッキン６０は、ベース部２００のパッキン溝２０３に取り付けられ、カバー部１００とベース部２００との間をシールする。パッキン６０によりカバー部１００とベース部２００との間がシールされることで、外部から筐体１０の内部への雨水や埃等の侵入が防止される。
【００４８】
カバー部１００とベース部２００との間に収容される基板４０は、下面側に複数の電子部品が実装されており、ベース部２００の上面側に固定される。また、電源ユニット４５は、ベース部２００の上面側に固定され、基板４０に実装されている電子部品等に電源を供給する。
【００４９】
デュプレクサ３０は、信号の送受信を１つのアンテナで行うために、信号の送信経路と受信経路とを電気的に分離する電子部品である。
【００５０】
図９は、本実施形態におけるデュプレクサ３０の斜視図である。図１０（Ａ）は、本実施形態におけるデュプレクサ３０の背面図である。また、図１０（Ｂ）はデュプレクサ３０の上面図であり、図１０（Ｃ）はデュプレクサ３０の側面図である。
【００５１】
デュプレクサ３０は、直方体状の本体部３０１の内部に、送信信号又は受信信号をフィルタリングするフィルタ等が設けられている。デュプレクサ３０の本体部３０１には、例えばアンテナ等に接続される複数のコネクタ３１が背面に設けられている。各コネクタ３１は、カバー部１００の第２側壁１０２ｂに形成されている開口に挿入されて外部に突出する。また、デュプレクサ３０の本体部３０１には、左側面に切り欠き３１１ａが形成され、右側面に切り欠き３１１ｂが形成されている。
【００５２】
デュプレクサ３０は、筐体１０の内部に配置され、コネクタ３１がカバー部１００の第２側壁１０２ｂに形成されている開口に挿入される。デュプレクサ３０は、本体部３０１の左右の側面がそれぞれカバー部１００の第２側壁１０２ｂ、第４側壁１０２ｄに沿うように筐体１０の内部に配置される。
【００５３】
図１１は、デュプレクサ３０のコネクタ３１がカバー部１００の第２側壁１０２ｂに形成されている開口１３２に挿入される様子を例示する図である。図１１（Ａ）は、デュプレクサ３０のコネクタ３１が開口１３２に挿入される前の状態を例示する図である。また、図１１（Ｂ）は、デュプレクサ３０のコネクタ３１が開口１３２に挿入された後の状態を例示する図である。
【００５４】
デュプレクサ３０のコネクタ３１を開口１３２に挿入する場合には、図１１（Ａ）に示されるように、まずデュプレクサ３０をカバー部１００の内部に配置してコネクタ３１と開口１３２とを対向させる。次に、図１１（Ｂ）に示されるように、デュプレクサ３０をＹ１方向に移動させて、コネクタ３１を開口１３２に挿入する。コネクタ３１は、第２側壁１０２ｂの開口１３２から、第１側壁１０２ａ及び第３側壁１０２ｃと平行なＹ１方向に突出する。
【００５５】
カバー部１００には、開口１３２に挿入されたコネクタ３１が第２側壁１０２ｂに固定されることで、デュプレクサ３０が取り付けられる。カバー部１００は、デュプレクサ３０が取り付けられた状態で、基板４０や電源ユニット４５等が搭載されたベース部２００に固定される。
【００５６】
図１１に示されるように、凹部１１０ｃは、デュプレクサ３０の切り欠き３１１ａに対応して第１側壁１０２ａから内側に窪むように形成されている。また、第４側壁１０２ｄの凹部１１０ｊは、デュプレクサ３０の切り欠き３１１ｂに対応して第３側壁１０２ｃから内側に窪むように形成されている。
【００５７】
また、デュプレクサ３０の切り欠き３１１ａ、３１１ｂ及びカバー部１００の凹部１１０ｃ、１１０ｊは、コネクタ３１の開口１３２への挿入前後において互いに接触しないように形成されている。
【００５８】
図７に示されるように、デュプレクサ３０の切り欠き３１１ａ、３１１ｂは、コネクタ３１が突出するＹ１方向における長さＬが、カバー部１００の凹部１１０ｃ、１１０ｊの幅Ｗにコネクタ３１の開口１３２からの突出長Ｌｃを加えた長さ以上に形成されている。このような構成により、デュプレクサ３０をカバー部１００の第１側壁１０２ａ及び第３側壁１０２ｃに沿って移動させ、コネクタ３１を開口１３２に挿入することが可能になっている。
【００５９】
図１２は、本実施形態における電子機器１の部分断面図である。図１２には、カバー部１００の第１側壁１０２ａに形成されている凹部１１０ｃを通るＸＺ断面が示されている。
【００６０】
凹部１１０ｃは、デュプレクサ３０の切り欠き３１１ａに対応して第１側壁１０２ａから内側に窪むように形成されている。ねじ１１は、凹部１１０ｃの底壁１２２に形成されている挿入孔１２に挿入され、ベース部２００の周縁部に形成されているねじ孔１３に取り付けられることで、カバー部１００をベース部２００に固定する。
【００６１】
ベース部２００のパッキン溝２０３に取り付けられているパッキン６０は、ベース部２００に固定されたカバー部１００に圧接されることで弾性変形し、カバー部１００とベース部２００との間を密閉する。
【００６２】
上記したように、カバー部１００は、デュプレクサ３０の切り欠き３１１ａに対応して第１側壁１０２ａから内側に窪む凹部１１０ｃにおいて、ねじ１１によりベース部２００に固定される。また、カバー部１００は、デュプレクサ３０の切り欠き３１１ｂに対応して第３側壁１０２ｃから内側に窪む凹部１１０ｊにおいて、ねじ１１によりベース部２００に固定される。
【００６３】
このように、デュプレクサ３０の側面に切り欠き３１１ａ、３１１ｂを形成することで、カバー部１００をベース部２００に固定する凹部１１０ｃ、１１０ｊを、第１側壁１０２ａ及び第３側壁１０２ｃの外周面より内側に形成できる。また、凹部１１０ｃ、１１０ｊと同様に、第１側壁１０２ａ及び第３側壁１０２ｃから内側に窪むように形成されている凹部１１０ｂ、１１０ｋにおいて、カバー部１００がベース部２００に固定される。
【００６４】
したがって、本実施形態における電子機器１では、カバー部１００をベース部２００に固定するために、第１側壁１０２ａ及び第３側壁１０２ｃから外側に突出するフランジ部等を形成する必要が無い。このため、図１から図４に示した電子機器５よりも、フランジ部の分だけ筐体１０の幅を小さくして電子機器１を小型化することが可能になる。
【００６５】
また、カバー部１００の側壁１０２は、凹部１１０がリブとして機能することで強度が向上する。したがって、本実施形態では、凹部１１０以外にリブ等を別途形成することなく、カバー部１００の側壁１０２の強度を確保できる。
【００６６】
以上で説明したように、本実施形態における電子機器１によれば、筐体１０のＸ１Ｘ２方向の幅を小さくして電子機器を小型化することが可能になっている。また、側壁１０２に凹部１１０を形成することにより、側壁１０２の強度を向上させることが可能になっている。
【００６７】
以上、実施形態について詳述したが、上記した実施形態に限定されるものではなく、特許請求の範囲に記載された範囲内において、種々の変形及び変更が可能である。
【００６８】
以上の実施形態に関し、更に以下の付記を開示する。
（付記１）
カバー部とベース部との間で電子部品を収容する筐体を有し、
前記電子部品は、前記カバー部の第１側壁の内側に沿って配置され、前記第１側壁側の側面に切り欠きが設けられており、
前記カバー部は、前記切り欠きに対応して前記第１側壁から内側に窪む凹部が設けられており、前記凹部において固定部材により前記ベース部に固定されている
ことを特徴とする電子機器。
（付記２）
前記電子部品は、前記カバー部の第２側壁に形成されている開口から前記第１側壁に平行な方向に突出するコネクタが設けられており、
前記切り欠きは、前記コネクタの突出方向における長さが、前記凹部の幅に前記コネクタの前記開口からの突出長を加えた長さ以上である
ことを特徴とする付記１に記載の電子機器。
（付記３）
前記凹部は、
前記第１側壁から前記カバー部の内側に突出し、前記固定部材により前記ベース部に固定される底壁と、
前記底壁の周縁から前記底壁に対して垂直に形成されている周壁と、を有する
ことを特徴とする付記１又は２に記載の電子機器。
（付記４）
前記ベース部は、複数の放熱フィンが形成されているヒートシンクである
ことを特徴とする付記１から３の何れか一項に記載の電子機器。
（付記５）
前記カバー部と前記ベース部との間をシールするシール部材を有する
ことを特徴とする付記１から４の何れか一項に記載の電子機器。
【符号の説明】
【００６９】
１  電子機器
１０  筐体
１１  ねじ
３０  デュプレクサ
３１  コネクタ
１００  カバー部
１０２ａ  第１側壁
１０２ｂ  第２側壁
１０２ｃ  第３側壁
１０２ｄ  第４側壁
１１０ｄ、１１０ｋ  凹部
１３２  開口
２００  ベース部
３１１ａ、３１１ｂ  切り欠き
【図１】
2017183621.tif 000003
【図２】
2017183621.tif 000004
【図３】
2017183621.tif 000005
【図４】
2017183621.tif 000006
【図５】
2017183621.tif 000007
【図６】
2017183621.tif 000008
【図７】
2017183621.tif 000009
【図８】
2017183621.tif 000010
【図９】
2017183621.tif 000011
【図１０】
2017183621.tif 000012
【図１１】
2017183621.tif 000013
【図１２】
2017183621.tif 000014